(57)【要約】【課題】オイルドレイン用の溝がヨークの開口から見えていなければならないので、可動鉄心の係止面とヨークの接触面積が小さくなってしまうため、オイルドレイン溝がヨークの開口から見えている状態であっても、ヨークの開口の径を小さくできる構造の燃料停止ソレノイドを提供する。【解決手段】可動鉄心４の係止面４ｃにオイルドレイン用の溝４ａを延長して設けることにより、ヨークの開口１ａの径を小さくできるように構成した。【選択図】図１
2011127565.tif 000002
【特許請求の範囲】
【請求項１】
励磁コイルがボビンに巻回されて、前記ボビンの軸孔より細径の開口を有する金属製ヨークに同軸に収納され、前記ボビンの軸孔内において、可動鉄心が軸方向に移動可能にて配設されてなる燃料停止ソレノイドにおいて、
前記可動鉄心は、軸方向への移動の際に前記金属製ヨークの開口の周縁に当接して停止させる係止面を有するとともに周面においてオイルドレイン用の溝が等角度間隔で軸方向に複数設けられた摺動部と、前記係止面に同軸に突出して設けられ前記係止面が前記開口の周縁に当接した際に前記開口から突出する操作部とからなり、
前記係止面において、前記摺動部の周面に設けられた前記オイルドレイン用の溝が径方向に軸に向かって延長して設けられていることを特徴とする燃料停止ソレノイド。
【発明の詳細な説明】
【技術分野】
【０００１】
本発明は、例えばディーゼルエンジンにおいて運転時はソレノイドに通電し動作させることにより燃料を供給し、停止時にはソレノイドヘの通電を止めることにより燃料供給を遮断する燃料停止ソレノイドに関するものである。
【背景技術】
【０００２】
例えば、特開平９−４７３５号公報のソレノイドバルブは、ソレノイド本体の中空部に往復動自在に挿入される磁性体製の可動部材に作動連結される弁体に、弁座に開口する第１ポートと可動部材の弁座の反対側に設けられる第２ポートとを連通する流路を設けた構造である。
【０００３】
この種の燃料停止ソレノイドを図３、図４に示す。図３（ａ）は、従来の燃料停止ソレノイドの正面断面図、図３（ｂ）は、同ソレノイドの右側面図、図３（ｃ）は、図３（ｂ）の開口の一部拡大図、図４は、同ソレノイドの可動鉄心の斜視図である。
【０００４】
従来の燃料停止ソレノイド１００は、金属製のヨークからなるソレノイド本体１０１の中空部１０２に可動鉄心１０３、ボビン１０４、及び、ボビン１０４に巻回された励磁コイル１０５が挿入され、励磁コイル１０５が通電されることにより可動鉄心１０３が軸方向に移動し、可動鉄心１０３の先端の操作部１０３ａがソレノイド本体１０１の開口１０１ａから突出して図示しない燃料弁を開放してエンジンへの燃料供給を開始させる。また、励磁コイル１０５ヘの通電を止めることにより可動鉄心１０３が移動して燃料供給を遮断する。燃料停止ソレノイド１００はエンジンに直接取り付けられるため、使用時は可動鉄心にエンジンオイル等がかかり、ソレノイド本体１０１の内部にオイルが滞留する可能性があるため、それを排出するために可動鉄心１０３の側面部にオイルドレイン溝１０３ｂを有している。
【先行技術文献】
【特許文献】
【０００５】
【特許文献１】特開平９−４７３５号公報
【発明の概要】
【発明が解決しようとする課題】
【０００６】
従来の燃料停止ソレノイドは、可動鉄心の移動によりヨークの開口からオイルが流入、または、ヨークの開口からオイルが排出されるように、オイルドレイン溝がヨークの開口と軸方向に連通するように配置されてオイルの流路を形成するもので、オイルドレイン溝がヨークの開口から見えていなければならない。
【０００７】
オイルドレイン溝がヨークの開口から見えていなければならないので、従来のように、可動鉄心の側面部にオイルドレイン溝を設けた構造では可動鉄心の係止面と接触するヨークの接触面がオイルドレイン溝の幅に限定されてしまう。そのため、可動鉄心の係止面とヨークの接触面積が小さく、可動鉄心が受ける面圧が大きくなってしまい、繰り返し衝撃により可動鉄心のエッジ部にダレが発生し、ソレノイドの内部部品と干渉を起こし、動作不良になる場合があった。
【０００８】
本願発明は、可動鉄心の係止面にオイルドレイン溝を延長して設けることにより、ヨークの開口の径を小さくできる構造の燃料停止ソレノイドを提供するものである。
【課題を解決するための手段】
【０００９】
本願の請求項１に記載の発明は、励磁コイルがボビンに巻回されて、前記ボビンの軸孔より細径の開口を有する金属製ヨークに同軸に収納され、前記ボビンの軸孔内において、可動鉄心が軸方向に移動可能にて配設されてなる燃料停止ソレノイドにおいて、前記可動鉄心は、軸方向への移動の際に前記金属製ヨークの開口の周縁に当接して停止させる係止面を有するとともに周面においてオイルドレイン用の溝が等角度間隔で軸方向に複数設けられた摺動部と、前記係止面に同軸に突出して設けられ前記係止面が前記開口の周縁に当接した際に前記開口から突出する操作部とからなり、前記係止面において、前記摺動部の周面に設けられた前記オイルドレイン用の溝が径方向に軸に向かって延長して設けられていることを特徴とする燃料停止ソレノイドである。
【発明の効果】
【００１０】
本発明によれば可動鉄心の係止面とヨークの開口との接触面積を大きくでき、ソレノイド動作時に可動鉄心の係止面に印加される面圧を抑えることができ耐久性が高い燃料停止ソレノイドを提供することができる。
【図面の簡単な説明】
【００１１】
【図１】（ａ）は、本発明の実施例の正面断面図、（ｂ）は、（ａ）の右側面図、（ｃ）は、（ｂ）の要部の拡大図である。
【図２】図１における可動鉄心の斜視図である。
【図３】（ａ）は、従来例の正面断面図、（ｂ）は、（ａ）の右側面図、（ｃ）は、（ｂ）の要部の拡大図である。
【図４】図３における可動鉄心の斜視図である。
【発明を実施するための形態】
【００１２】
以下に本発明の実施例を図面を参照して説明する。
【実施例】
【００１３】
図１（ａ）は、本発明の実施例の正面断面図、図１（ｂ）は、（ａ）の右側面図、図１（ｃ）は、（ｂ）の要部の拡大図、図２は、図１における可動鉄心の斜視図である。
【００１４】
図１、図２において、本発明の実施例の燃料停止ソレノイド１０は、金属製のヨーク１、固定鉄心２、スプリング３、可動鉄心４、励磁コイル５及び、そのボビン５ａとから構成されている。
【００１５】
励磁コイル５は、ボビン５ａに巻回されている。金属製のヨーク１は、ボビン５ａの軸孔５ｂより細径の開口１ａを有する中空部１ｂに、ボビン５ａを同軸に収納している。そして、ボビンの軸孔５ｂ内には、後部から前部の開口１ａに向かって、固定鉄心２、スプリング３及び可動鉄心４が軸方向に連続して配設されている。
【００１６】
可動鉄心４は、周面において、オイルドレイン用の溝４ａが等角度間隔で軸方向に複数設けられた摺動部４ｂを有している。また、可動鉄心４は、軸方向への移動の際に金属製のヨーク１の開口１ａの内側周縁に摺動部４ｂの端面（以下この端面を係止面と称する）４ｃの周縁の環状部４ｅが当接する。そして、係止面４ｃの中心から同軸に突出して操作部４ｄが設けられている。この操作部４ｄは、摺動部４ｂより細径に形成されている。
【００１７】
各オイルドレイン用の溝４ａは、摺動部４ｂの周面において、軸方向に沿って設けられ、係止面４ｃにおいて、外周部から径方向に軸に向かって延長して設けられている。そのため、オイルドレイン用の溝４ａが金属製のヨーク１の開口１ａから見える範囲を開口１ａの軸の近傍とすることが可能となり、開口１ａの径を小さくして、可動鉄心４と金属製のヨーク１との接触面積を大きくすることができ、ソレノイド１０の動作時に可動鉄心４の係止面４ｃに印加される面圧を抑えることができる。
【符号の説明】
【００１８】
１，１０１  金属製のヨーク
１ａ，１０１ａ  開口
２  固定鉄心
３  スプリング
４，１０３  可動鉄心
４ａ，１０３ｂ  オイルドレイン用の溝
４ｂ  摺動部
４ｃ  係止面
４ｄ，１０３ａ  操作部
４ｅ  環状部
５，１０５  励磁コイル
５ａ，１０４  ボビン
５ｂ  軸孔
【図１】
2011127565.tif 000003
【図２】
2011127565.tif 000004
【図３】
2011127565.tif 000005
【図４】
2011127565.tif 000006